(57)【特許請求の範囲】
【請求項１】
耐雷設備のダメージ評価方法であって、
予め設定された各単位領域について、単位領域内に設けられた電柱に対する耐雷設備の構成比率を表したモデルを作成するモデル作成ステップと、
各単位領域に落雷する雷の大きさを落雷計測装置のデータに基づいて決定する決定ステップと、
前記モデル作成ステップで作成された各モデルに対して、前記決定ステップにて決定した大きさの雷を落とす雷撃シミュレーションを、落雷位置を変えて複数回実行することにより、各単位領域について、各回の落雷により各耐雷設備が処理する処理エネルギー量として各耐雷設備が内部で熱損失したエネルギー量を計算する計算ステップと、を含み、
前記複数回の雷撃シミュレーションにより各単位領域の耐雷設備が受けるダメージを、前記複数回の雷撃シミュレーションにより各耐雷設備が内部で熱損失するエネルギー量に基づいて評価する耐雷設備のダメージ評価方法。
【請求項２】
前記計算ステップにおいて、前記複数回の雷撃シミュレーションにより各単位領域の各耐雷設備が受けるダメージを、各耐雷設備が内部で熱損失したエネルギー量の大きさに基づいて、機能不良、ストレス、健全のいずれかに判定することにより、各単位領域の耐雷設備について機能不良と判定された機能不良判定回数、ストレスと判定されたストレス判定回数、健全と判定された健全判定回数を算出し、
前記機能不良判定回数が１回以上である場合に、その単位領域について耐雷設備のダメージを機能不良と評価し、
前記機能不良判定回数がゼロで、かつストレス判定回数が１回以上である場合に、その単位領域について耐雷設備のダメージをストレスと評価し、
前記機能不良判定回数とストレス判定回数が双方ともゼロ回である場合に、その単位領域について耐雷設備のダメージを健全と評価することを特徴とする請求項１に記載の耐雷設備のダメージ評価方法。
【請求項３】
前記計算ステップで算出した前記機能不良判定回数、前記ストレス判定回数を、各単位領域における配電設備の密度、及び前記落雷計測装置の雷撃頻度のデータに基づいて補正する補正ステップを備え、
前記補正ステップにて求めた補正後の機能不良判定回数に基づいて機能不良と評価された耐雷設備について機能不良の程度を評価し、補正後のストレス判定回数に基づいて、ストレスと評価された耐雷設備についてストレスの程度を評価する請求項２に記載の耐雷設備のダメージ評価方法。
【請求項４】
耐雷設備のダメージ評価装置であって、
予め設定された各単位領域について、単位領域内に設けられた電柱に対する耐雷設備の構成比率を表したモデルを作成するモデル作成部と、
各単位領域に落雷する雷の大きさを落雷計測装置のデータに基づいて決定する決定部と、
前記モデル作成部で作成された各モデルに対して、前記決定部にて決定した大きさの雷を落とす雷撃シミュレーションを、落雷位置を変えて複数回実行することにより、各単位領域について、各回の落雷により各耐雷設備が処理する処理エネルギー量として前記各耐雷設備が内部で熱損失するエネルギー量を計算する計算部と、を含み、
前記複数回の雷撃シミュレーションにより各単位領域の耐雷設備が受けるダメージを、前記複数回の雷撃シミュレーションにより各耐雷設備が内部で熱損失するエネルギー量に基づいて評価する耐雷設備のダメージ評価装置。
【請求項５】
前記計算部において、前記複数回の雷撃シミュレーションにより各単位領域の各耐雷設備が受けるダメージを、各耐雷設備が内部で熱損失したエネルギー量の大きさに基づいて、機能不良、ストレス、健全のいずれかに判定することにより、各単位領域の耐雷設備について機能不良と判定された機能不良判定回数、ストレスと判定されたストレス判定回数、健全と判定された健全判定回数を算出し、
前記機能不良判定回数が１回以上である場合に、その単位領域について耐雷設備のダメージを機能不良と評価し、
前記機能不良判定回数がゼロで、かつストレス判定回数が１回以上である場合に、その単位領域について耐雷設備のダメージをストレスと評価し、
前記機能不良判定回数と前記ストレス判定回数が双方ともゼロ回である場合に、その単位領域について耐雷設備のダメージを健全と評価することを特徴とする請求項４に記載の耐雷設備のダメージ評価装置。
【請求項６】
前記計算部で算出した前記機能不良判定回数、前記ストレス判定回数を、各単位領域における配電設備の密度、及び前記落雷計測装置の雷撃頻度のデータに基づいて補正する補正部を備え、
前記補正部にて求めた補正後の機能不良判定回数に基づいて機能不良と評価された耐雷設備について機能不良の程度を評価し、補正後のストレス判定回数に基づいて、ストレスと評価された耐雷設備についてストレスの程度を評価することを特徴とする請求項５に記載の耐雷設備のダメージ評価装置。
【請求項７】
変圧器のダメージ評価方法であって、
予め設定された各単位領域について、単位領域内に設けられた電柱に対する変圧器の構成比率を表したモデルを作成するモデル作成ステップと、
各単位領域に落雷する雷の大きさを落雷計測装置のデータに基づいて決定する決定ステップと、
前記モデル作成ステップで作成された各モデルに対して、前記決定ステップにて決定した大きさの雷を落とす雷撃シミュレーションを、落雷位置を変えて複数回実行することにより、各単位領域について、各回の落雷により、前記各変圧器の一次ブッシングに加わる一次ブッシング電圧を計算する計算ステップと、を含み、
前記複数回の雷撃シミュレーションにより各単位領域の変圧器が受けるダメージを、前記複数回の雷撃シミュレーションにより各変圧器の一次ブッシングに加わる一次ブッシング電圧に基づいて評価する変圧器のダメージ評価方法。
【請求項８】
前記計算ステップにおいて、前記複数回の雷撃シミュレーションにより各単位領域の各変圧器が受けるダメージを、各変圧器の前記一次ブッシング電圧の大きさに基づいて、ストレス、健全のいずれかに判定することにより、各単位領域の変圧器についてストレスと判定されたストレス判定回数、健全と判定された健全判定回数を算出し、
前記ストレス判定回数が１回以上である場合に、その単位領域について変圧器のダメージをストレスと評価し、
前記ストレス判定回数がゼロ回である場合に、その単位領域について変圧器のダメージを健全と評価することを特徴とする請求項７に記載の変圧器のダメージ評価方法。
【請求項９】
前記計算ステップで算出した前記ストレス判定回数を、各単位領域における前記変圧器の密度、及び前記落雷計測装置の雷撃頻度のデータに基づいて補正する補正ステップを備え、
前記補正ステップにて求めた補正後のストレス判定回数に基づいて、ストレスと評価された変圧器についてストレスの程度を評価することを特徴とする請求項８に記載の変圧器のダメージ評価方法。
【請求項１０】
変圧器のダメージ評価装置であって、
予め設定された各単位領域について、単位領域内に設けられた電柱に対する変圧器の構成比率を表したモデルを作成するモデル作成部と、
各単位領域に落雷する雷の大きさを落雷計測装置のデータに基づいて決定する決定部と、
前記モデル作成部で作成された各モデルに対して、前記決定部にて決定した大きさの雷を落とす雷撃シミュレーションを、落雷位置を変えて複数回実行することにより、各単位領域について、各回の落雷により落雷により、前記各変圧器の一次ブッシングに加わる一次ブッシング電圧を計算する計算部と、を含み、
前記複数回の雷撃シミュレーションにより各単位領域の各変圧器が受けるダメージを、前記複数回の雷撃シミュレーションにより各変圧器の一次ブッシングに加わる一次ブッシング電圧に基づいて評価する変圧器のダメージ評価装置。
【請求項１１】
前記計算部において、前記複数回の雷撃シミュレーションにより各単位領域の各変圧器が受けるダメージを、各変圧器の前記一次ブッシング電圧の大きさに基づいて、ストレス、健全のいずれかに判定することにより、各単位領域の変圧器についてストレスと判定されたストレス判定回数、健全と判定された健全判定回数を算出し、
前記ストレス判定回数が１回以上である場合に、その単位領域について変圧器のダメージをストレスと評価し、
前記ストレス判定回数が双方ともゼロ回である場合に、その単位領域について変圧器のダメージを健全と評価することを特徴とする請求項１０に記載の変圧器のダメージ評価装置。
【請求項１２】
前記計算部で算出した前記ストレス判定回数を、各単位領域における前記変圧器の密度、及び前記落雷計測装置の雷撃頻度のデータに基づいて補正する補正部を備え、
前記補正部にて求めた補正後のストレス判定回数に基づいて、ストレスと評価された変圧器についてストレスの程度を評価することを特徴とする請求項１１に記載の変圧器のダメージ評価装置。
【発明の詳細な説明】
【技術分野】
【０００１】
本発明は、耐雷設備、変圧器のダメージの評価方法に関する。
【背景技術】
【０００２】
従来より、配電設備の耐雷対策として、配電設備に耐雷設備が設置されている。この耐雷設備は、過去の落雷数や耐雷設備の雷事故数などに基づいて、経験的に、または、統計的に落雷の頻度が高い地域に対して、より多く配電設備に配置されている。
【０００３】
例えば特許文献１のように、過去の落雷数や配電線雷事故数や現状の耐雷設備の施設状況などから、耐雷設備の施設状況の変更に伴って、将来起こりうる配電線雷事故数の変化を定量的に予測し、耐雷設備を配備する方法がある。
【先行技術文献】
【特許文献】
【０００４】
【特許文献１】特開２００８−２１７５４１号公報
【発明の概要】
【発明が解決しようとする課題】
【０００５】
ところで、耐雷設備は、雷電流の通過に伴って処理するエネルギー、すなわち内部で熱に変わるエネルギーによりダメージを受ける。そのため、ダメージの大きい耐雷設備や変圧器を優先して取り替えることが求められている。
【０００６】
本発明では、落雷による耐雷設備や変圧器のダメージの評価を行うことを目的としている。
【課題を解決するための手段】
【０００７】
本発明は、耐雷設備のダメージ評価方法であって、予め設定された各単位領域について、単位領域内に設けられた電柱に対する耐雷設備の構成比率を表したモデルを作成するモデル作成ステップと、各単位領域に落雷する雷の大きさを落雷計測装置のデータに基づいて決定する決定ステップと、前記モデル作成ステップで作成された各モデルに対して、前記決定ステップに決定した大きさの雷を落とすシミュレーションを実行することにより、各単位領域について、落雷により各耐雷設備が処理する処理エネルギー量を計算する計算ステップと、を含み、前記計算ステップにて計算した前記各耐雷設備の処理エネルギー量に基づいて、各単位領域の耐雷設備のダメージを評価する。
【０００８】
本発明の実施態様として以下の構成とすることが好ましい。
・前記計算ステップにおいて雷を落とすシミュレーションを、落雷位置を変えて、複数回行うと共に、各回について前記各耐雷設備のダメージを、前記処理エネルギーの大きさに基づいて機能不良、ストレス、健全のいずれかに判定することにより、各耐雷設備について機能不良と判定された機能不良判定回数、ストレスと判定されたストレス判定回数、健全と判定された健全判定回数を算出し、前記機能不良判定回数が１回以上である場合に、その単位領域について耐雷設備のダメージを機能不良と評価し、前記機能不良判定回数がゼロで、かつストレス判定回数が１回以上である場合に、その単位領域について耐雷設備のダメージをストレスと評価し、前記機能不良判定回数とストレス判定回数が双方ともゼロ回である場合に、その単位領域について耐雷設備のダメージを健全と評価する。
【０００９】
・前記計算ステップで算出した前記機能不良判定回数、前記ストレス判定回数を、各単位領域における前記配電設備の密度、及び前記落雷計測装置の雷撃頻度のデータに基づいて補正する補正ステップを備え、前記補正ステップにて求めた補正後の機能不良判定回数に基づいて機能不良と評価された耐雷設備について機能不良の程度を評価し、補正後のストレス判定回数に基づいて、ストレスと評価された耐雷設備についてストレスの程度を評価する。
【００１０】
本発明は、耐雷設備のダメージ評価装置であって、予め設定された各単位領域について、単位領域内に設けられた電柱に対する耐雷設備の構成比率を表したモデルを作成するモデル作成部と、各単位領域に落雷する雷の大きさを落雷計測装置のデータに基づいて決定する決定部と、前記モデル作成ステップで作成された各モデルに対して、前記決定ステップに決定した大きさの雷を落とすシミュレーションを実行することにより、各単位領域について、落雷により各耐雷設備が処理する処理エネルギー量を計算する計算部と、を含み、前記計算部にて計算した前記各耐雷設備の処理エネルギー量に基づいて、各単位領域の耐雷設備のダメージを評価する。
【００１１】
本発明の実施態様として、以下の構成が好ましい。
・上記耐雷設備のダメージ評価装置では、前記計算部において雷を落とすシミュレーションを、落雷位置を変えて、複数回行うと共に、各回について前記各耐雷設備のダメージを、前記処理エネルギーの大きさに基づいて機能不良、ストレス、健全のいずれかに判定することにより、各耐雷設備について機能不良と判定された機能不良判定回数、ストレスと判定されたストレス判定回数、健全と判定された健全判定回数を算出し、機能不良判定回数が１回以上ある場合に、その単位領域について耐雷設備のダメージを機能不良と評価し、機能不良判定回数がゼロで、かつストレス判定回数が１回以上である場合に、その単位領域について耐雷設備のダメージをストレスと評価し、機能不良判定回数とストレス判定回数が双方ともゼロ回である場合に、その単位領域について耐雷設備のダメージを健全と評価する。
【００１２】
・前記計算部で算出した前記機能不良判定回数、前記ストレス判定回数を、各単位領域における前記配電設備の密度、及び前記落雷計測装置の雷撃頻度のデータに基づいて補正する補正部を備え、前記補正部にて求めた補正後の機能不良判定回数に基づいて機能不良と評価された耐雷設備について機能不良の程度を評価し、補正後のストレス判定回数に基づいて、ストレスと評価された耐雷設備についてストレスの程度を評価する。
【００１３】
本発明は、変圧器のダメージ評価方法であって、予め設定された各単位領域について、単位領域内に設けられた電柱に対する変圧器の構成比率を表したモデルを作成するモデル作成ステップと、各単位領域に落雷する雷の大きさを落雷計測装置のデータに基づいて決定する決定ステップと、前記モデル作成ステップで作成された各モデルに対して、前記決定ステップに決定した大きさの雷を落とすシミュレーションを実行することにより、各単位領域について、落雷により、前記各変圧器の一次ブッシングに加わる一次ブッシング電圧を計算する計算ステップと、を含み、前記計算ステップにて計算した前記各変圧器の一次ブッシング電圧に基づいて、各単位領域の変圧器のダメージを評価する。尚、一次ブッシング電圧とは変圧器の一次ブッシングに加わる電圧を意味する。
【００１４】
本発明の実施態様として、以下の構成が好ましい。
・前記計算ステップにおいて雷を落とすシミュレーションを、落雷位置を変えて、複数回行うと共に、各回について前記各変圧器のダメージを、前記一次ブッシング電圧の大きさに基づいて、ストレス、健全のいずれかに判定することにより、各変圧器についてストレスと判定されたストレス判定回数、健全と判定された健全判定回数を算出し、前記ストレス判定回数が１回以上である場合に、その単位領域について変圧器のダメージをストレスと評価し、前記ストレス判定回数がゼロ回である場合に、その単位領域について変圧器のダメージを健全と評価する。
【００１５】
・前記計算ステップで算出した前記ストレス判定回数を、各単位領域における前記変圧器の密度、及び前記落雷計測装置の雷撃頻度のデータに基づいて補正する補正ステップを備え、前記補正ステップにて求めた補正後のストレス判定回数に基づいて、ストレスと評価された変圧器についてストレスの程度を評価する。
【００１６】
本発明は、変圧器のダメージ評価装置であって、予め設定された各単位領域について、単位領域内に設けられた電柱に対する変圧器の構成比率を表したモデルを作成するモデル作成部と、各単位領域に落雷する雷の大きさを落雷計測装置のデータに基づいて決定する決定部と、前記モデル作成ステップで作成された各モデルに対して、前記決定ステップに決定した大きさの雷を落とすシミュレーションを実行することにより、各単位領域について、落雷により、前記各変圧器の一次ブッシングに加わる一次ブッシング電圧を計算する計算部と、を含み、前記計算部にて計算した前記各変圧器の一次ブッシング電圧に基づいて、各単位領域の変圧器のダメージを評価する。
【００１７】
本発明の実施態様として、以下の構成が好ましい。
・前記計算部において雷を落とすシミュレーションを、落雷位置を変えて、複数回行うと共に、各回について前記各変圧器のダメージを、前記一次ブッシング電圧の大きさに基づいて、ストレス、健全のいずれかに判定することにより、各変圧器についてストレスと判定されたストレス判定回数、健全と判定された健全判定回数を算出し、前記ストレス判定回数が１回以上である場合に、その単位領域について変圧器のダメージをストレスと評価し、前記ストレス判定回数が双方ともゼロ回である場合に、その単位領域について変圧器のダメージを健全と評価する。
【００１８】
・前記計算部で算出した前記ストレス判定回数を、各単位領域における前記変圧器の密度、及び前記落雷計測装置の雷撃頻度のデータに基づいて補正する補正部を備え、前記補正部にて求めた補正後のストレス判定回数に基づいて、ストレスと評価された変圧器についてストレスの程度を評価する。
【発明の効果】
【００１９】
本発明によれば、耐雷設備、変圧器のダメージの評価を行うことができる。
【図面の簡単な説明】
【００２０】
【図１】本発明の一実施形態に係る配電系統の概略図
【図２】管理区の区分を示す図
【図３】図２に示した管理区を拡大した模式図
【図４】耐雷設備のダメージ評価システム１の電気的構成を示すブロック図
【図５】耐雷設備のダメージ評価システム１の処理を示すフローチャート
【図６】図３に示す管理区の標準化モデルを示す図
【図７】耐雷設備のダメージの評価結果をまとめた図表
【図８】耐雷設備のダメージの評価結果を地図上に色分けして表した図
【図９】他の実施形態に係る変圧器の説明図
【発明を実施するための形態】
【００２１】
一実施形態について図１から図８を参照しつつ説明する。
１．配電系統の概略説明
図１は、配電系統の概略図である。配電系統は、電力系統より送られる電力を各需要家に配電するものであり、電柱１０、配電線１１、架空地線１２、引込線、変圧器２１、開閉器２２などから構成されている。変圧器２１は、配電線１１を介して６６００Ｖの高電圧で供給された電力を、例えば１００Ｖまたは２００Ｖに降圧して一般家庭や事業所に供給するものである。また、開閉器２２はスイッチの働きをするものであって、配電線１１に流れている電流を導通、遮断するものである。なお、電柱１０、配電線１１、変圧器２１、開閉器２２が本発明の配電設備に相当する。
【００２２】
また、配電系統には、落雷などによって発生する過電圧などから機器を保護するために、例えば避雷器３１や耐雷ＰＣ（Ｐｒｉｍａｒｙ  Ｃｕｔｏｕｔ）３２や耐雷ホーン３３などの耐雷設備３０が取り付けられている。尚、耐雷ホーン３３は、避雷器３１及び耐雷ＰＣ３２が設置されていない電柱１０に取り付けられている。
【００２３】
避雷器３１は、雷及び回路の開閉などに起因する衝撃過電圧に伴う電流を大地に分流することによって過電圧を制限して電気設備の絶縁を保護し、かつ続流を短時間に遮断して、電路の正規状態を乱すことなく、現状に回復する機能を持つ装置である（日本工業規格  Ｃ４６０８）。
【００２４】
耐雷ＰＣ３２は、変圧器一次側に配置されるプライマリーカットアウトに避雷素子を内蔵した機器であり、避雷器３１と同様の過電圧による保護対象を柱上変圧器に限定した装置である。耐雷ホーン３３は、雷による過電圧によって、腕金を介して短絡回路が形成された場合の続流を遮断することで電線の断線を防止する装置である。
【００２５】
２．管理区
図２は、管理区の区分を示す図である。管理区４０は、配電設備や耐雷設備３０を管理する際の、一つのまとまりを示すものであり、この実施例では、管理区の１区間を1ｋｍ×1ｋｍとしている。
【００２６】
図３は、図２中の実線で囲まれた管理区４０−Ｎを拡大した模式図である。図３は、単線結線図によって図示されており、各電柱１０は、配電線１１によりそれぞれ接続され、電気的に接続されている。尚、符号４０は管理区を総称するものとする。また、管理区４０−Ｎと記載した場合、添え字の「−Ｎ」は管理区の番号を示す。
【００２７】
３．落雷計測装置
落雷計測定装置（図略）は、落雷に伴って発生する電磁波を多地点で計測して、落雷した位置、雷電流の大きさ、落雷した時間などの落雷情報を算出する装置である。尚、この種の装置を開示するものとして、特開２００３−２９４８２４号公報がある。
【００２８】
４．電気的構成
図４は、本実施形態における耐雷設備のダメージ評価システム１の電気的構成を示すブロック図である。耐雷設備のダメージ評価システム１は、耐雷設備評価部１００と、キーボードやマウスなどのデータ入力部２００と、記憶部３００と、表示部４００とによって構成される。耐雷設備のダメージ評価システム１は、落雷による耐雷設備３０のダメージを管理区単位で評価するものである。
【００２９】
耐雷設備評価部１００は、モデル作成部１０１と、決定部１０２と、計算部１０３と、判定部１０４と、補正部１０５と、評価部１０６とから構成される。
【００３０】
記憶部３００には、落雷計測装置にて計測した落雷に関するデータ３０１や、管理区のデータ３０２が記憶されている。管理区のデータ３０２とは、管理区に設置された配電設備のデータや耐雷設備のデータである。
【００３１】
５．耐雷設備のダメージ評価方法
次に、図５に示す耐雷設備のダメージ評価システム１のフローチャートを参照しつつ説明する。
【００３２】
ユーザがデータ入力部２００に耐雷設備評価部１００の開始コマンドを入力すると、まず、管理区が１つ選択され、選択された管理区について標準化モデルを作成する処理が、管理区のデータ３０２に基づいて、モデル作成部１０１にて行われる（Ｓ１０）。標準化モデルとは、管理区内に配置された電柱１０に対する耐雷設備３０や変圧器２１の構成比率を表したモデルである。本実施形態では、図６に示すように、配電線１１を３条１０径間、電柱１０の数を１１本に設定しており、標準化モデルとして、３条の配電線１１を支持する１１本の電柱１０に対して、構成比率に応じて耐雷設備３０を割り当てたモデルが生成される。尚、図６では、３条の配電線１１を便宜上１本にして図示している。
【００３３】
例えば、Ｎ番目の管理区４０−Ｎには、電柱１０が１６本あるのに対して、避雷器３１は３箇所、耐雷ＰＣ３２は３箇所設置されている。このため、避雷器３１の構成比率は「０．２」、耐雷ＰＣ３２の構成比率は「０．２」となる。また、変圧器２１は５箇所設置されているので、変圧器２１の構成比率は「０．３」となる。また、架空地線１２は４径間に架設されているので、構成比率は「０．３」となる。
【００３４】
従って、図６に示すようにＮ番目の管理区４０−Ｎの標準化モデルは、１０Ａ〜１０Ｋの１１本の電柱と、２箇所の避雷器３１と、２箇所の耐雷ＰＣ３２と、３箇所の変圧器２１（２箇所は耐雷ＰＣ３２付き、１箇所は耐雷ＰＣ３２なし）と、３径間の架空地線１２から構成されるモデルとなる。また、耐雷ホーン３３は避雷器３１及び耐雷ＰＣ３２が取り付けられていない電柱１０に取り付けられ、７箇所の耐雷ホーン３３が取り付けられる。尚、図６中の点線は架空地線を示し、実線は配電線を示す。
【００３５】
標準化モデルが作成されると、決定部１０２により後述する計算部１０３のシミュレーションに用いられる雷電流Ｉの大きさが管理区４０−Ｎごとに決定される（Ｓ２０）。具体的には、落雷計測装置の計測したデータ３０１に格納されている過去の落雷のデータから、管理区４０−Ｎの過去の落雷による雷電流の中央値が雷電流Ｉとなる。ここで、中央値とは、過去の落雷により管理区４０−Ｎに発生した雷電流Ｉの全ての値を、高い電流値から小さい電流値へ順に並べ、その並べられた電流値の中央にある値をいう。
【００３６】
雷電流Ｉの大きさが決定されると、計算部１０３によって、標準化モデルを模擬した回路（以下、「模擬回路」という）に対して、雷電流Ｉを入力して、模擬回路内を雷電流Ｉがどのように伝搬してゆくか、シミュレーションを行う。なお、模擬回路の終端は、終端抵抗によりインピーダンスマッチングされている。
【００３７】
そして、本シミュレーションでは、雷電流Ｉの伝搬に伴って、模擬回路の各耐雷設備３０に対してどの程度の雷電流Ｉが通過するかを、計算部１０３によって、例えば公知の技術であるＥＭＴＰ（Ｅｌｅｃｔｒｏ−Ｍａｇｎｅｔｉｃ  Ｔｒａｎｓｉｅｎｔｓ  Ｐｒｏｇｒａｍ）を用いて算出し、標準化モデル上の耐雷設備３０に対する処理エネルギー量が算出される（Ｓ３０）
【００３８】
ここで、処理エネルギー量とは、耐雷設備３０を通過する電流によって、その耐雷設備３０の内部で熱損失したエネルギー量である。例えば、処理エネルギーは、落雷により各耐雷設備３０を通過する雷電流Ｉの乗数と各耐雷設備３０の内部抵抗値の積を、時間積分した値となる。
【００３９】
そして、本実施形態では、このような雷電流Ｉの入力を、１０Ｃ、１０Ｆ、１０Ｉの３本の電柱に対して個々に行い、各回について、模擬回路の各耐雷設備３０に発生する処理エネルギー量を算出する。その後、算出した処理エネルギー量を閾値と比較することにより、判定部１０４によって、各耐雷設備３０のダメージをそれぞれ判定する（各耐雷設備３０の個別評価）。
【００４０】
この実施形態では閾値として、耐雷設備３０の公称放電エネルギーと放電耐量エネルギーの２つの閾値を用いることとしている（公称放電エネルギー＜放電耐量エネルギー）。
【００４１】
公称放電エネルギーは、公称放電電流を波高値とする雷インパルス波形の瞬時値電流の乗数と各耐雷設備３０の内部抵抗値の積を、時間積分した値である。尚、ＪＥＣ２０３避雷器参照すると、公称放電電流は次のように定義されている。避雷器の公称放電電流とは、避雷器の保護性能並に自復性能を表現するために用いる放電電流の規定値であって、所定波形の雷インパルス電流の波高値で表示する。
【００４２】
放電耐量エネルギーは、放電耐量を波高値とする雷インパルス波形の瞬時値電流の乗数と各耐雷設備３０の内部抵抗値の積を、時間積分した値である。尚、ＪＥＣ２０３避雷器参照すると、避雷器の放電耐量とは、避雷器に実質上の障害を起こすことなく、所定の回数を反復して流すことができる、所定波形の放電電流波高値の最大限度をいう。
【００４３】
そして、算出された処理エネルギーを、上記した２つの閾値を比較した結果、算出された処理エネルギーが公称放電エネルギー以下であった場合、その耐雷設備３０は「健全」と判定される。また、算出された処理エネルギーが、公称放電エネルギー超過、放電耐量エネルギー以下であった場合、この耐雷設備３０は「ストレス」と判定される。また、算出された処理エネルギーが、放電耐量エネルギー超過であった場合、この耐雷設備３０は「機能不良」と判定される。
【００４４】
尚、この実施例では、閾値の一例に、公称放電エネルギーと放電耐量エネルギーを用いたが、それ以外の閾値を用いることも技術的には可能である。
【００４５】
このような判定を、標準化モデルの全耐雷設備３０に対して行うことで、模擬回路の各耐雷設備３０のダメージの度合いが、「健全」、「ストレス」、「機能不良」のいずれかに判定される。そして本実施形態では、耐雷設備３０のダメージを判定する処理を合わせて、各耐雷設備の種類ごとに、健全と判定された「健全判定回数」、ストレスと判定された「ストレス判定回数」、機能不良と判定された「機能不良判定回数」が算出される。
【００４６】
尚、この実施形態では、一の管理区に対して雷を落とすシミュレーションを電柱の位置を変えて３回行っており、上記した各判定回数（すなわち、健全判定回数、ストレス判定回数、機能不良判定回数）は、３回のシミュレーションにて判定された回数の合計値である。この例では、シミュレーションの回数を３回としているが、これは一例であり、それ以外の回数でも無論よい。
【００４７】
さて、図７は、３回のシミュレーションにより得られた各耐雷設備３０の判定回数をまとめたものであり、例えば、管理区４０−１では、耐雷ＰＣ３２について、「健全判定回数」が「５４回」となり、「ストレス判定回数」が「０回」となり、「機能不良判定回数」が「０回」となっている。
【００４８】
また、避雷器３１について、管理区４０−１では、「健全判定回数」が「２５回」となり、「ストレス判定回数」が「２回」となり、「機能不良判定回数」が「０回」となっている。なお、避雷器３１における、「健全判定回数」、「ストレス判定回数」、「機能不良判定回数」は、耐雷ＰＣ３２と同様に求められる。
【００４９】
また、耐雷ホーン３３について、管理区４０−１では、「健全判定回数」が「３５回」となり、「ストレス判定回数」が「１回」となり、「機能不良判定回数」が「０回」となっている。尚、耐雷ホーン３３における、「健全判定回数」、「ストレス判定回数」、「機能不良判定回数」は、耐雷ＰＣ３２と同様に求められる。
【００５０】
次に、Ｓ４０では全管理区４０について、模擬回路によるシミュレーション及び模擬回路の各耐雷設備に関するダメージ判定を終了したか、判定される。全管理区について判定を終えていない場合（Ｓ４０：ＮＯ）、処理はＳ１０に戻る。そのため、全ての管理区４０について耐雷設備３０のダメージの判定が実行されるまで、Ｓ１０→Ｓ２０→Ｓ３０→Ｓ４０を繰り返すループ処理が行われる。
【００５１】
全ての管理区４０について耐雷設備３０のダメージが判定されると、Ｓ４０にてＹＥＳされ、処理はＳ５０に移行する。
【００５２】
Ｓ５０では、補正部１０５により以下の補正が行われる。具体的には、予め設定された補正係数を、「ストレス判定回数」、「機能不良判定回数」に対してそれぞれ乗算する。ここで、補正係数とは電柱１０に対する雷の落ち易さを相対値で表したものであり、雷撃頻度αと電柱密度βの積で表される。
【００５３】
雷撃頻度αは、管理区における落雷の襲来頻度である。一管理区の落雷数及び全管理区の落雷数は落雷計測装置によってカウントされている。従って、落雷計測装置の計測したデータ３０１を参照することで、落雷頻度αを算出することが出来る。例えば、全管理区４０の落雷合計数が１００発であり、管理区４０−２の落雷の数が６発であれば、その管理区４０−２の雷撃頻度は、０．０６となる。尚、落雷頻度αの算出方法は、上記のように全管理区４０の落雷合計数を基準にするものの他に、各管理区４０−Ｎの落雷数の最大値を基準にして算出することも可能である。また、各管理区４０−Ｎの落雷数を雷撃頻度αとすることも可能である。
【００５４】
電柱密度βとは、各管理区４０−Ｎに設置された電柱１０の設置本数の割合である。例えば、全管理区４０のうち、電柱１０の最大本数が５０本であるとする。この場合、管理区４０−２の電柱１０の本数が３９本であれば、管理区４０−２の電柱密度は０．７８となる。尚、電柱密度βの値が大きくなるほど、落雷する確率も大きくなる。
【００５５】
そして、管理区４０−１であれば、雷撃頻度αが「０．１２」、電柱密度βが「０．０６」であることから、補正係数は「０．００７」となる。従って、補正部１０５による補正により、管理区４０−１の避雷器３１のストレス判定回数は「２回」から「０．０１」に補正され、耐雷ホーン３３のストレス判定回数は「２回」から「０．０１」に補正される。このような判定回数の補正が、他の管理区４０−Ｎについても同様に行われる。
【００５６】
そして、Ｓ５０に続くＳ６０では、管理区単位で各耐雷設備のダメージの度合いが評価される（耐雷設備３０の全体評価）。
【００５７】
具体的には、補正前の機能不良判定回数が１回でもあれば、その管理区４０−Ｎの耐雷設備３０は、「機能不良」と評価される。また、補正前の機能不良判定回数がゼロ回で、かつストレス判定回数が１回でもあれば、その管理区４０−Ｎの耐雷設備３０は、「ストレス」と評価される。そして、補正前の機能不良判定回数とストレス判定回数が双方ともゼロ回の場合には、その管理区４０−Ｎの耐雷設備３０は、「健全」と評価される。このようなダメージの評価が、耐雷設備３０の種類ごとにそれぞれ行われる。
【００５８】
例えば、図７に示すように、耐雷ＰＣ３２について、管理区４０−１であれば、機能不良判定回数とストレス判定回数がいずれも０回であることから「健全」と判定される。また、管理区４０−２であれば、機能不良判定回数が０回、ストレス判定回数が１１回であることから、「ストレス」と判定される。また、管理区４０−３であれば、機能不良判定回数とストレス判定回数がいずれも０回であることから、「健全」と判定される。同様に避雷器３１、耐雷ホーン３３についても、各管理区単位で、ダメージの度合いがそれぞれ判定される。
【００５９】
また、耐雷設備３０のダメージの度合いが、「ストレス」、「機能不良」と判定された管理区では、さらに、「ストレス」の程度と、「機能不良」の程度とが求められる。ここでは、「ストレス」の程度の算出例を説明するが、「機能不良」の程度の算出例も同じである。
【００６０】
具体的には、補正後のストレス判定回数（補正係数乗算後のストレス判定回数）に、予め設定された第一閾値と第二閾値と（第一閾値＞第二閾値）を比較して、「ストレス」の程度をランク分けする。尚、第一閾値及び第二閾値は、各管理区の補正後のストレス判定回数の分布を考慮して、管理区を３つの階層（Ａ〜Ｃランク：Ｃ→Ｂ→Ａの順にストレス大）に概ね均等に分類出来るように、補正後のストレス判定回数の分布に基づいて決定される。
【００６１】
例えば、耐雷ＰＣ３２について、第一閾値の値が０．６、第二閾値の値が０．３に決定されたとする。今、図７に示すように、管理区４０−１〜４０−３のうち、管理区４０−２は、耐雷ＰＣ３２のダメージの度合いが「ストレス」と判定されている。従って、管理区４０−２の耐雷ＰＣ３２について、ストレスの程度がランク分けされる。具体的には、管理区４０−２の耐雷ＰＣ３２は、補正後のストレス判定回数が「０．５１」回であることから、ストレスはＢランクとなる。
【００６２】
同様に、避雷器３１について、第一閾値の値が０．５、第二閾値の値が０．２に決定されたとする。今、図７に示すように、管理区４０−１〜４０−３のうち、管理区４０−１と管理区４０−２の２つの管理区は、避雷器３１のダメージの度合いが「ストレス」と判定されている。従って、管理区４０−１、４０−２の避雷器３１について、ストレスの程度がランク分けされる。具体的には、管理区４０−１の避雷器３１は、補正後のストレス判定回数が「０．０１」回であることから、ストレスはＣランクとなる。また、管理区４０−２の避雷器３１は、補正後のストレス判定回数が「０．１４」回であることから、ストレスはＣランクとなる。
【００６３】
また、同様に、耐雷ホーン３３について、第一閾値の値が０．７、第二閾値の値が０．３に決定されたとする。今、図７に示すように、管理区４０−１〜４０−３とも、耐雷ホーン３３のダメージの度合いが「ストレス」と判定されている。従って、管理区４０−１〜４０−３の耐雷ホーン３３について、ストレスの程度がランク分けされる。具体的には、補正後の各管理区４０−１〜４０−３の耐雷ホーン３３のストレス判定回数は、それぞれ「０．０１」回、「０．５６」回、「１．１８」回であることから、管理区４０−１の耐雷ホーン３３のストレスはＣランクとなり、管理区４０−２の耐雷ホーン３３のストレスはＢランクとなり、管理区４０−３の耐雷ホーン３３のストレスはＡランクとなる。
【００６４】
このように、本実施形態では、「機能不良」や「ストレス」をランク分けするので、ランクを参照することで、「機能不良」と判定された耐雷設備３０を有する管理区が複数ある場合に、どの管理区４０−Ｎから耐雷設備の交換を行うのか、優先順位を簡単に決定できる。また、同様に、「ストレス」に判定された耐雷設備３０を有する管理区が複数ある場合に、どの管理区４０−Ｎから耐雷設備の交換を行うのか、優先順位を簡単に決定できる。
【００６５】
次に、各管理区４０−Ｎの耐雷設備３０のダメージの判定結果の表示方法について説明する。この実施形態では、図８に示すように判定結果を色の違いで表したダメージ判定マップを、表示部４００に表示することで各耐雷設備３０のダメージの判定結果を表示する。
【００６６】
具体的には、評価部１０６によって、「健全」と判定された管理区４０−Ｎは白色で表示され、「ストレス」と判定された管理区４０−Ｎは黄色で表示され、「機能不良」と判定された管理区４０−Ｎは赤色で表示される。尚、図８中では、密度が濃いドットは赤色を示し、密度が低いドットは黄色を示す。また、このダメージ判定マップは耐雷設備３０の種類ごと、すなわち避雷器３１、耐雷ＰＣ３２、耐雷ホーン３３についてそれぞれ作成される。
【００６７】
また、この実施形態では、「ストレス」に分類された耐雷設備３０を対象にストレス階層マップが作成され、また、「機能不良」に分類された耐雷設備３０を対象として、機能不良階層マップが作成される。
【００６８】
具体的には、ストレス階層マップであれば、ストレスの程度がＡランクと判定された管理区４０−Ｎは黄色で表示され、ストレスの程度がＢランクと判定された管理区４０−ＮはＡランクの黄色より薄い黄色で表示され、ストレスの程度がＣランクと判定された管理区４０−Ｎは、Ｂランクの黄色より薄い黄色で表示される。尚、このストレス階層マップは耐雷設備３０の種類ごと、すなわち避雷器３１、耐雷ＰＣ３２、耐雷ホーン３３についてそれぞれ作成される。また、同様に、機能不良階層マップについても耐雷設備３０の種類ごと、すなわち避雷器３１、耐雷ＰＣ３２、耐雷ホーン３３についてそれぞれ作成される。
【００６９】
６．本実施形態の耐雷設備のダメージ評価方法の効果
（１）耐雷設備３０は、配電系統を構成する配電設備や他の耐雷設備３０と電気的に繋がっていることから、落雷に伴うダメージを求めるには、電気的に繋がった配電設備や耐雷設備３０の影響を考慮することが必要となる。そこで、本実施形態では、管理区毎に標準化モデル、すなわち模擬回路を作成して、落雷により雷電流Ｉが、模擬回路をどのように伝搬してゆくのか、シミュレーションを行うようにした。このようにすれば、電気的に繋がった配電設備や耐雷設備３０の影響を考慮した上で、各耐雷設備３０の処理エネルギー（雷電流Ｉの通過に伴って各耐雷設備が処理する処理エネルギー）を計算することが可能となる。そのため、耐雷設備３０のダメージの度合いを精度よく評価することが可能となる。また、管理区毎に耐雷設備３０のダメージを評価することができるので、管理区毎にダメージの大きい耐雷設備３０から交換時期を決定することが可能となる。
【００７０】
（２）模擬回路に対する雷電流の伝搬の仕方や、各耐雷設備を通過する雷電流の大きさは、耐雷設備３０の配置や設置数が同じであっても、落雷位置により異なる。そのため、落雷位置が相違すると、雷電流の通過に伴って耐雷設備３０が処理する処理エネルギーの大きさも当然に異なる。したがって、落雷位置の相違により、耐雷設備３０のダメージの判定結果が変わる恐れがある。この点を鑑み、本実施形態の耐雷設備のダメージ評価システム１では、模擬回路に雷を落とすシミュレーションを、落雷位置を変えて複数回（具体的には、３回）行って、各回についてそれぞれ処理エネルギーの大きさを求め、その上で耐雷設備のダメージを評価する。このようにすれば、落雷位置の相違による評価結果の相違は生じ難いので、耐雷設備３０のダメージの判定結果精度を高めることが可能となる。
【００７１】
（３）また、本実施形態では、電柱１０の密度α及び雷撃頻度βの補正係数を、「ストレス」と判定された耐雷設備３０のストレス判定回数と、「機能不良」と判定された耐雷設備３０の機能不良判定回数に対してそれぞれ乗算する。そして、その判定回数に補正係数を乗算した値を用いて、判定部１０４によって、設定された閾値と比較することで、各耐雷設備３０の「ストレス」の程度及び「機能不良」の程度を求める。これにより、各耐雷設備３０の「ストレス」の程度及び「機能不良」の程度は、実際の管理区における配電設備の密度や、落雷の襲撃頻度を考慮された値となり、この値によって、各耐雷設備３０の「ストレス」の程度及び「機能不良」の程度の評価が行われる。このため、耐雷設備３０の「ストレス」の優劣、及び耐雷設備３０の「機能不良」の優劣の評価の精度を高めて行うことができる。
【００７２】
＜他の実施形態＞
本発明は上記記述及び図面によって説明した実施形態に限定されるものではなく、例えば次のような種々の態様も本発明の技術的範囲に含まれる。
（１）上記実施形態では、ダメージの評価対象として、耐雷設備３０を例示したが、変圧器２１を評価対象にしてもよい。
【００７３】
変圧器２１が評価対象の場合には、次のようにダメージ評価を行う。まず、耐雷設備３０の場合と同様に、管理区４０−Ｎの標準化モデルをそれぞれ作成する。次に、作成した標準化モデルに対して雷を落とすシミュレーションを実行して、各変圧器２１の一次ブッシング２１Ｂに加わる一次ブッシング電圧Ｖを計算する。そして、計算した一次ブッシング電圧Ｖに基づいて、各変圧器２１のダメージ評価を行う。具体的には、一次ブッシング電圧Ｖが耐電圧（閾値）を超過していれば、その変圧器２１は、「ストレス」と判定し、超過していなければ、「健全」と判定する。そして、「ストレス」と判定されたストレス判定回数、「健全」と判定された健全判定回数を算出し、ストレス判定回数が１回以上である場合に、その管理区４０−Ｎについて変圧器２１のダメージを「ストレス」と評価し、ストレス判定回数がゼロ回である場合に、その管理区４０−Ｎについて変圧器２１のダメージを「健全」と評価する。尚、一次ブッシング電圧Ｖとは、金属ケース２１Ａと一次ブッシング２１Ｂの先端との間に加わる電圧のことである（図９参照）。
【符号の説明】
【００７４】
１０…電柱
１１…高圧配電線
２１…変圧器
３０…耐雷設備
３１…避雷器
３２…耐雷ＰＣ
３３…耐雷ホーン
４０…管理区
１００…耐雷設備評価部
１０１…モデル作成部
１０２…決定部
１０３…計算部
１０４…判定部
１０５…補正部
１０６…評価部
３０１…落雷計測装置のデータ
３０２…管理区のデータ
【図１】
0005775399.tif 000002
【図２】
0005775399.tif 000003
【図３】
0005775399.tif 000004
【図４】
0005775399.tif 000005
【図５】
0005775399.tif 000006
【図６】
0005775399.tif 000007
【図７】
0005775399.tif 000008
【図８】
0005775399.tif 000009
【図９】
0005775399.tif 000010